【手続補正書】
【提出日】平成24年7月19日(2012.7.19)
【手続補正１】
【補正対象書類名】特許請求の範囲
【補正対象項目名】全文
【補正方法】変更
【補正の内容】
【特許請求の範囲】
【請求項１】
仕切り壁によって分離され且つ当該仕切り壁の一方向に関する一端部に形成された空気排出孔及び他端部に形成された空気吸引孔を介して互いに連通した試験室及び空調室を有する環境試験装置に取り付け可能なダクトユニットにおいて、
板状部材と、
前記板状部材の前記一方向と直交する方向に関する一端部に形成された第１貫通孔と、
前記板状部材の前記直交する方向に関する他端部に形成された第２貫通孔と、
前記板状部材の一方の面から突出し、前記板状部材を前記第１貫通孔が形成された第１領域と前記第２貫通孔が形成された第２領域とに区切る仕切り板とを備えていることを特徴とするダクトユニット。
【請求項２】
前記板状部材が矩形平面形状を有しており、
前記仕切り板が、前記板状部材の対角にある２つの角を結ぶように傾斜していることを特徴とする請求項１に記載のダクトユニット。
【請求項３】
前記板状部材の前記第２領域には、前記第２貫通孔近傍から延在した偏向板が突出していることを特徴とする請求項１又は２に記載のダクトユニット。
【請求項４】
前記仕切り板は、前記第１領域よりも前記第２領域が大きくなるように湾曲していることを特徴とする請求項１〜３のいずれか１項に記載のダクトユニット。
【請求項５】
前記板状部材には、厚み方向に貫通した複数の孔が形成された整流板が前記一方向に関する前記第１貫通孔の少なくとも一端部側を覆うように設けられていることを特徴とする請求項１〜４のいずれか１項に記載のダクトユニット。
【請求項６】
筐体と、
一方向に関する一端部に空気排出孔が形成され、他端部に空気吸引孔が形成され、前記筐体内の空間を仕切る仕切り壁と、
前記仕切り壁によって分離され且つ前記空気排出孔及び前記空気吸引孔を介して互いに連通した試験室及び空調室と、
請求項１〜５のいずれか１項に記載のダクトユニットとを備えており、
前記ダクトユニットは、前記空気排出孔及び前記空気吸引孔のいずれか一方の孔と前記第１領域とが、他方の孔と前記第２領域とが対向するように、前記筐体及び前記仕切り壁の少なくともいずれかに取り付けられていることを特徴とする環境試験装置。
【請求項７】
前記空調室及び前記ダクトユニットの幅が、前記筐体の幅よりも小さく、
前記試験室は、前記ダクトユニットの前記空調室側とは反対側に配置された第１室と、
前記第１室と繋がり、前記空調室及び前記ダクトユニットと幅方向に関して隣接し前記第１室よりも幅が小さい第２室とを有しており、
前記第１室との間において前記第２室を挟む前記筐体の壁には、前記第２室と外部とを連通させる少なくとも１以上の孔が形成されていることを特徴とする請求項６に記載の環境試験装置。
【手続補正２】
【補正対象書類名】明細書
【補正対象項目名】０００６
【補正方法】変更
【補正の内容】
【０００６】
本発明のダクトユニットは、仕切り壁によって分離され且つ当該仕切り壁の一方向に関する一端部に形成された空気排出孔及び他端部に形成された空気吸引孔を介して互いに連通した試験室及び空調室を有する環境試験装置に取り付け可能なダクトユニットにおいて、板状部材と、前記板状部材の前記一方向と直交する方向に関する一端部に形成された第１貫通孔と、前記板状部材の前記直交する方向に関する他端部に形成された第２貫通孔と、前記板状部材の一方の面から突出し、前記板状部材を前記第１貫通孔が形成された第１領域と前記第２貫通孔が形成された第２領域とに区切る仕切り板とを備えている。
【手続補正３】
【補正対象書類名】明細書
【補正対象項目名】０００７
【補正方法】変更
【補正の内容】
【０００７】
これによると、例えば、空気を吹き出す空気排出孔と第１領域とを、空気を吸引する空気吸引孔と第２領域とを対向させつつダクトユニットを環境試験装置に取り付けたときに、空気排出孔から吹き出された空気が仕切り壁と第１領域との間の第１空間内で均圧化され、当該均圧化された空気が第１貫通孔から試験室内に排出される。このとき、試験室内の空気が第２貫通孔から仕切り壁と第２領域との間の第２空間を通して空気吸引孔に吸い込まれるとともに、試験室内には第１貫通孔から第２貫通孔に向かう一方向と直交する方向の気流が生じる。こうして、試験室内において一方向に生じる気流を直交する方向に偏向することが可能になり、試験室に載置された試料に対する風向きが最適な状態で環境試験を行わせることが可能になる。
【手続補正４】
【補正対象書類名】明細書
【補正対象項目名】０００８
【補正方法】変更
【補正の内容】
【０００８】
本発明において、前記板状部材が矩形平面形状を有しており、前記仕切り板が、前記板状部材の対角にある２つの角を結ぶように傾斜していることが好ましい。これにより、直交する方向に関して、第１領域と仕切り壁との間の第１空間、及び、第２領域と仕切り壁との間の第２空間の一方向に関する両端部のいずれか一方を大きくすることが可能となる。このため、第１空間が空気排出孔、第２空間が空気吸引孔の全体を覆いやすくなる。また、第１空間の直交する方向の幅が一方向に向かって狭まるため、一方向に関して、第１貫通孔から吹き出す風圧が均等になり易くなる。
【手続補正５】
【補正対象書類名】明細書
【補正対象項目名】０００９
【補正方法】変更
【補正の内容】
【０００９】
また、本発明において、前記板状部材の前記第２領域には、前記第２貫通孔近傍から延在した偏向板が突出していることが好ましい。これにより、空気を吹き出す空気排出孔と第１空間（第１領域と仕切り壁との間）とが、空気を吸引する空気吸引孔と第２空間（第２領域と仕切り壁との間）とが連通するようにダクトユニットが環境試験装置に取り付けられたときに、第２貫通孔から試験室内の空気を効果的に吸引することが可能となる。
【手続補正６】
【補正対象書類名】明細書
【補正対象項目名】００１０
【補正方法】変更
【補正の内容】
【００１０】
また、本発明において、前記仕切り板は、前記第１領域よりも前記第２領域が大きくなるように湾曲していることが好ましい。これにより、空気を吹き出す空気排出孔と第１空間（第１領域と仕切り壁との間）とが、空気を吸引する空気吸引孔と第２空間（第２領域と仕切り壁との間）とが連通するようにダクトユニットが環境試験装置に取り付けられたときに、第１空間の直交する方向の幅が一方向に向かってさらに狭まるため、一方向に関して、第１貫通孔から吹き出す風圧がより一層均等になり易くなる。
【手続補正７】
【補正対象書類名】明細書
【補正対象項目名】００１１
【補正方法】変更
【補正の内容】
【００１１】
また、本発明において、前記板状部材には、厚み方向に貫通した複数の孔が形成された整流板が前記一方向に関する前記第１貫通孔の少なくとも一端部側を覆うように設けられていることが好ましい。これにより、空気を吹き出す空気排出孔と第１空間（第１領域と仕切り壁との間）とが、空気を吸引する空気吸引孔と第２空間（第２領域と仕切り壁との間）とが連通するようにダクトユニットが環境試験装置に取り付けられたときに、第１貫通孔の一端部側の抵抗が大きくなり、一方向に関して、第１貫通孔から吹き出す風圧がより一層均等になるよう調整することができる。
【手続補正８】
【補正対象書類名】明細書
【補正対象項目名】００１２
【補正方法】変更
【補正の内容】
【００１２】
本発明の環境試験装置は、筐体と、一方向に関する一端部に空気排出孔が形成され、他端部に空気吸引孔が形成され、前記筐体内の空間を仕切る仕切り壁と、前記仕切り壁によって分離され且つ前記空気排出孔及び前記空気吸引孔を介して互いに連通した試験室及び空調室と、請求項１〜５のいずれか１項に記載のダクトユニットとを備えている。そして、前記ダクトユニットは、前記空気排出孔及び前記空気吸引孔のいずれか一方の孔と前記第１領域とが、他方の孔と前記第２領域とが対向するように、前記筐体及び前記仕切り壁の少なくともいずれかに取り付けられている。
【手続補正９】
【補正対象書類名】明細書
【補正対象項目名】００１３
【補正方法】変更
【補正の内容】
【００１３】
これによると、例えば、空気排出孔から吹き出された空気が仕切り壁と第１領域との間の第１空間内で均圧化され、当該均圧化された空気が第１貫通孔から試験室内に排出される。このとき、試験室内の空気が第２貫通孔から仕切り壁と第２領域との間の第２空間を通して空気吸引孔に吸い込まれるとともに、試験室内には第１貫通孔から第２貫通孔に向かう一方向と直交する方向の気流が生じる。こうして、試験室内において一方向に生じる気流を直交する方向に偏向することが可能になり、試験室に載置された試料に対する風向きが最適な状態で環境試験を行わせることが可能になる。
【手続補正１０】
【補正対象書類名】明細書
【補正対象項目名】００１５
【補正方法】変更
【補正の内容】
【００１５】
本発明のダクトユニットによると、例えば、空気を吹き出す空気排出孔と第１領域とを、空気を吸引する空気吸引孔と第２領域とを対向させつつダクトユニットを環境試験装置に取り付けたときに、空気排出孔から吹き出された空気が仕切り壁と第１領域との間の第１空間内で均圧化され、当該均圧化された空気が第１貫通孔から試験室内に排出される。このとき、試験室内の空気が第２貫通孔から仕切り壁と第２領域との間の第２空間を通して空気吸引孔に吸い込まれるとともに、試験室内には第１貫通孔から第２貫通孔に向かう一方向と直交する方向の気流が生じる。こうして、試験室内において一方向に生じる気流を直交する方向に偏向することが可能になり、試験室に載置された試料に対する風向きが最適な状態で環境試験を行わせることが可能になる。
また、本発明の環境試験装置によると、例えば、空気排出孔から吹き出された空気が仕切り壁と第１領域との間の第１空間内で均圧化され、当該均圧化された空気が第１貫通孔から試験室内に排出される。このとき、試験室内の空気が第２貫通孔から仕切り壁と第２領域との間の第２空間を通して空気吸引孔に吸い込まれるとともに、試験室内には第１貫通孔から第２貫通孔に向かう一方向と直交する方向の気流が生じる。こうして、試験室内において一方向に生じる気流を直交する方向に偏向することが可能になり、試験室に載置された試料に対する風向きが最適な状態で環境試験を行わせることが可能になる。